(57)【特許請求の範囲】
【請求項１】
表示画面を持つ表示装置と、
前記表示画面上に表示されるべき描画データの入力を、前記表示画面上へのユーザのタッチ位置を検出することにより受けるための入力手段と、
前記入力手段により入力された描画データを、複数種類の所定の属性の値と共に記憶するための第１の描画データ記憶手段と、
前記入力手段とは異なる描画データ源により作成される描画データを記憶するための第２の描画データ記憶手段と、
前記第１の描画データ記憶手段に記憶される描画データから、ユーザにより選択された描画データを前記第２の描画データ記憶手段に記憶された描画データと合成して前記表示画面上に表示するための表示手段と、
印刷対象の描画データを選択するために、前記表示画面上に表示される描画データを印刷対象から一旦除外した後、前記複数種類の所定の属性のうちの任意の属性と、その値に関する所定の条件とを指定するための指定手段と、
前記表示画面上に表示される描画データのうちで、前記複数種類の所定の属性のうちの前記指定手段により条件が指定された属性の値が、前記指定手段により指定された前記所定の条件を充足する描画データを抽出し、前記第２の描画データ記憶手段に記憶される描画データと合成して印刷装置に与えるための印刷制御手段とを含み、
前記描画データ源は、アプリケーションソフトであることを特徴とする、情報表示装置。
【請求項２】
表示画面を持つ表示装置、
前記表示画面上に表示されるべき描画データの入力を、前記表示画面上へのユーザのタッチ位置を検出することにより受けるための入力手段、
前記入力手段により入力された描画データを、複数種類の所定の属性の値と共に記憶するための第１の描画データ記憶手段、
前記入力手段とは異なる描画データ源により作成される描画データを記憶するための第２の描画データ記憶手段、
前記第１の描画データ記憶手段に記憶される描画データから、ユーザにより選択された描画データを前記第２の描画データ記憶手段に記憶された描画データと合成して前記表示画面上に表示するための表示手段、
前記表示画面上に表示される描画データを印刷対象から一旦除外した後、印刷対象の描画データを選択するために、前記複数種類の所定の属性のうちの任意の属性と、その値に関する所定の条件とを指定するための指定手段、及び、
前記表示画面上に表示される描画データであって、前記複数種類の所定の属性のうち、前記指定手段により条件が指定された属性の値が前記指定手段により指定された前記所定の条件を充足する描画データを抽出し、前記第２の描画データ記憶手段に記憶される描画データと合成して出力するための印刷制御手段を含む、情報表示装置と、
前記印刷制御手段により出力された描画データを印刷するための印刷装置とを含み、
前記描画データ源は、アプリケーションソフトであることを特徴とする、情報表示システム。
【発明の詳細な説明】
【技術分野】
【０００１】
本発明は、タッチパネルを含む情報表示装置に関し、特に情報表示装置の表示情報を印刷する技術に関する。
【背景技術】
【０００２】
集合会議における議事内容の配信には、光学的イメージセンサ及びプリンタを有するホワイトボードが広く利用されてきた。従来のホワイトボードは、マーカ等により記入された議事内容を、光学的イメージセンサを走査して読取る。議事内容はイメージとして取得される。会議主催者等は会議終了後、プリンタを用いてイメージを印刷し、その印刷物を必要部数用意して配布すればよい。
【０００３】
しかし、この方法は時間と手間とを要していた。何故なら、ホワイトボードのプリンタは感熱方式が多く、感熱紙プリントアウトは早く劣化してしまうためである。会議主催者等は感熱紙プリントアウトをコピー機等でコピーし直す必要があった。さらに、イメージとして取得された議事内容をワードプロセッサソフト等を用いて清書する手間、保存の為に議事内容情報を電子化する手間等が生じていた。
【０００４】
これらの問題を解決するために、特許文献１には、大型ディスプレイ上に電子ペンで議事内容を直接入力し、入力情報を全て電子化する電子会議システムが提案されている。本システムでは、電子化はＯＣＲ（Ｏｐｔｉｃａｌ  Ｃｈａｒａｃｔｅｒ  Ｒｅｃｏｇｎｉｔｉｏｎ）等により行なわれる。本システムにより、会議主催者らは、会議終了後の議事内容の管理、関係者への配布、及び編集加工等を簡単に行なうことができる。
【０００５】
しかし、特許文献１に開示の技術では、入力情報の分類方法については記述されていない。入力された議事内容のそれぞれは、その重要度が異なる場合があるだろう。また、会議参加者がそれぞれ記入した議事内容について、会議終了後に誰が何を入力したかを確認する必要があるかもしれない。重要度及び入力者等により入力情報を分類して、分類グループの中から選択したグループの情報を印刷したり保存したりするニーズも考えられる。
【０００６】
この問題に鑑みて、特許文献２には、各会議参加者を識別する機能を有するペンにより、ホワイトボードへの入力情報に対応する入力者を識別する技術内容が提案されている。ペンは指紋センサを有し、ペンを握った入力者を識別する。さらに、特許文献２に記載のシステムは、特定の定形図形を用いてサブレイヤーを作成し、同じ入力者の入力をさらに区別して記憶管理することができる。
【特許文献１】特開２０００−５６７４７号公報
【特許文献２】特開２００７−８００７６号公報
【発明の開示】
【発明が解決しようとする課題】
【０００７】
しかし、特許文献２に記載の技術では、人依存の識別しか行なうことができない。このため、例えば、入力情報のうち入力者にかかわらず重要度の高い情報だけを抽出して印刷し、この印刷物を関係者に配布したいという要望に対応できない。
【０００８】
別の言い方をすれば、入力情報のうち重要度の高くない情報について、会議中は表示したいが印刷はしたくないという要望もありえる。この場合、表示情報の中から印刷したい情報だけを抽出することが必要であるが、特許文献２はこの問題について特に述べていない。
【０００９】
さらに、指紋センサによる識別に不具合が生じ、人依存の識別さえ行なえなくなることも考えられる。
【００１０】
したがって本発明の目的は、入力情報のうち、必要な情報だけを印刷し、そうでない情報の印刷を回避するための情報表示装置を実現することである。
【００１１】
本発明の別の目的は、表示情報のうち、印刷が必要な情報だけを抽出する技術を提供することである。
【００１２】
本発明のさらに別の目的は、上述の機能を実現することにより、効率的な議事内容の印刷を行なうことである。
【課題を解決するための手段】
【００１３】
本発明の第１の局面に係る情報表示装置は、表示画面と、表示画面上に表示されるべき描画データの入力を受けるための入力手段と、入力手段により入力された描画データを、所定の属性の値と共に記憶するための第１の描画データ記憶手段と、第１の描画データ記憶手段に記憶される描画データから、ユーザにより選択された描画データを表示画面上に表示するための表示手段と、所定の属性の値に関する所定の条件を指定するための指定手段と、表示画面上に表示される描画データのうち、所定の属性の値が指定手段により指定された所定の条件を充足するものを抽出して印刷装置に与えるための印刷制御手段とを含むことを特徴とする。
【００１４】
本情報表示装置において、ユーザは、表示画面上に表示したい描画データを入力する。第１の描画データ記憶手段は、描画データと共に、所定の属性の値を記憶する。ユーザにより選択された描画データは表示画面上に表示される。この表示される描画データのうち、所定の属性の値が、指定手段により指定された所定の条件を充足するものは抽出され印刷装置に与えられる。そうでないものは抽出されない。
【００１５】
指定手段により、所定の条件として、描画データのうち印刷すべきものを抽出するよう値を設定すれば、必要な描画データだけを印刷することができる。不要な描画データの印刷を回避することもできる。
【００１６】
好ましくは、情報表示装置は、さらに、入力手段とは異なる描画データ源により作成される描画データを記憶するための第２の描画データ記憶手段を含む。印刷制御手段は、表示画面上に表示される描画データのうち、所定の属性の値が指定手段により指定された所定の条件を充足するものを抽出し、第２の描画データ記憶手段に記憶される描画データと合成して印刷装置に与えるための手段を含むことを特徴とする。
【００１７】
本情報表示装置において、入力手段により入力された描画データは第１の描画データ記憶手段に、これとは異なる描画データ源により作成される描画データは第２の描画データ記憶手段に、それぞれ記憶される。印刷の際は、第１の描画データ記憶手段に記憶され、表示画面上に表示された描画データのうち所定の条件を充足するものと、第２の描画データ記憶手段に記憶された描画データとが合成され印刷される。
【００１８】
本情報表示装置によれば、描画データのうち必要なものを選択し、他の情報と共に印刷することができる。例えば、本情報表示装置を利用し、ある情報を表示画面に表示しながら打合せを行い、当該情報のうち重要な部分の表示領域上にデータの入力及び表示を行なったとする。会議終了後、ある情報とデータとを印刷し配信する際、データのうち配信する必要の無いものを削除することができる。
【００１９】
好ましくは、所定の属性の値は、当該描画データの表示画面上への表示の際の描画色を含む。指定手段は、表示画面に表示可能な描画色のうちの何れかを指定するための描画色指定手段を含む。印刷制御手段は、表示画面上に表示される描画データのうち、表示の際の描画色が、描画色指定手段により指定された色と同一のものを抽出して印刷装置に与えるための手段を含むことを特徴とする。
【００２０】
印刷制御手段は、表示画面上に表示される描画データの各々について、その表示の際の描画色と、描画色指定手段により指定された色とを比較する。両者が同一の場合、該当する描画データは抽出され、印刷される。描画データの表示の際の描画色を指定することで、必要な描画データだけを印刷することができる。
【００２１】
さらに好ましくは、描画色指定手段は、表示画面に表示可能な描画色のうちの任意の数の色を指定するための手段を含むことを特徴とする。
【００２２】
さらにより好ましくは、描画色指定手段は、表示画面に表示可能な描画色の全てを一括して指定するための手段をさらに含むことを特徴とする。
【００２３】
本情報表示装置において、ユーザは表示画面上に表示される描画データの色を一括して指定することができる。これにより、表示画面上に表示される描画データを一度に選択して印刷することができる。このことは、印刷に係るユーザ指示を簡素化する。
【００２４】
好ましくは、所定の属性の値は、当該描画データの表示画面上への表示の際の描画色を含む。指定手段は、表示画面に表示可能な描画色のうちの何れかを指定するための描画色指定手段を含む。印刷制御手段は、表示画面上に表示される描画データのうち、表示の際の描画色が、描画色指定手段により指定された色と同一のものを抽出するための抽出手段と、抽出手段により抽出された描画データの印刷の際の描画色を、予め定められた特定の指定色に変換して印刷装置に与えるための手段とを含むことを特徴とする。
【００２５】
描画データの色を予め指定された色に変換して印刷することができる。このことにより、例えば、表示画面上では異なる色により表示するべきであったが、印刷の際はその必要の無い描画データを印刷する場合、ユーザは描画データの色を単一にすることができる。さらに、当該描画データの色が、表示画面上では視認しやすいが、印刷すると視認が困難である場合、視認しやすい色に変換することができる。
【００２６】
好ましくは、所定の属性の値は、入力手段により当該描画データの入力が開始された時刻を含む。指定手段は、時刻の範囲を指定するための時刻指定手段を含む。印刷制御手段は、表示画面上に表示される描画データのうち、入力が開始された時刻が、時刻指定手段により指定された時刻の範囲に含まれるものを抽出して印刷装置に与えるための手段を含むことを特徴とする。
【００２７】
描画データの入力が開始された時間を指定することで、必要な描画データだけを印刷することができる。
【００２８】
好ましくは、所定の属性の値は、入力手段により当該描画データの入力が開始された表示画面上の座標位置を含む。指定手段は、表示画面上の座標位置の範囲を指定するための座標位置指定手段を含む。印刷制御手段は、表示画面上に表示される描画データのうち、入力が開始された表示画面上の座標位置が、座標位置指定手段により指定された座標位置の範囲に含まれるものを抽出して印刷装置に与えるための手段を含むことを特徴とする。
【００２９】
描画データの入力が開始された表示画面上の座標位置を指定することで、必要な描画データだけを印刷することができる。
【００３０】
好ましくは、所定の属性の値は、入力手段により当該描画データが入力された順番を含む。指定手段は、順番の範囲を指定するための順番指定手段を含む。印刷制御手段は、表示画面上に表示される描画データのうち、入力された順番が、順番指定手段により指定された順番の範囲に含まれるものを抽出して印刷装置に与えるための手段を含むことを特徴とする。
【００３１】
描画データが入力された順番を指定することで、必要な描画データだけを印刷することができる。
【００３２】
本発明の第２の局面に係る情報表示システムは、表示画面、表示画面上に表示されるべき描画データの入力を受けるための入力手段、入力手段により入力された描画データを、所定の属性の値と共に記憶するための描画データ記憶手段、描画データ記憶手段に記憶される描画データから、ユーザにより選択された描画データを表示画面上に表示するための表示手段、所定の属性の値に関する所定の条件を指定するための指定手段、及び、表示画面上に表示される描画データのうち、所定の属性の値が指定手段により指定された所定の条件を充足するものを抽出して出力するための印刷制御手段を含む、情報表示装置と、印刷制御手段により出力された描画データを印刷するための印刷装置とを含むことを特徴とする。
【００３３】
本情報表示システムは、情報表示装置と印刷装置とを含む。本情報表示装置において、入力され、表示画面上に表示された描画データのうち、所定の属性の値が、指定手段により指定された所定の条件を充足するものは抽出され印刷装置に出力される。そうでないものは抽出されない。印刷装置に出力された描画データは印刷される。
【００３４】
本情報表示システムにおいて、指定手段により、所定の条件として、表示された描画データのうち印刷すべきものを抽出するよう値を設定すれば、必要な描画データだけを印刷することができる。不要な描画データの印刷を回避することもできる。
【発明の効果】
【００３５】
以上のように、本情報表示装置によれば、ユーザは入力され表示される描画データから必要なデータを選択して印刷することができる。不要なデータを含まないプリントアウトにより、ユーザは、さらに、業務の効率化を図ることができる。
【発明を実施するための最良の形態】
【００３６】
以下、本発明の実施の形態に係る情報表示装置について説明する。以下の説明及び図面では、同一の部品には同一の参照符号及び名称を付してある。それらの機能も同一である。したがって、それらについての詳しい説明は繰返さない。
【００３７】
[第１の実施の形態]
図１に、本願発明の第１の実施の形態に係る情報表示装置の表示及び印刷の態様を説明するための模式図を示す。
【００３８】
図１を参照して、第１の実施の形態では、（Ａ）に示す画面１０のような情報を表示する。画面１０は、一般のアプリケーションソフトを用いて作成されたデータ２８と、会議中にデータ２８の一部を指し示すためにユーザにより入力されたオブジェクト３０、３２、３４及び３６とを含む。
【００３９】
本実施の形態では、会議中に入力される情報は、他の情報とは別のメモリ空間に描画される。データ２８はメモリ空間２０に、オブジェクト３０、３２、３４及び３６は、（Ｂ）に示すメモリ空間２２に描画されている。表示は、メモリ空間２０及び２２の座標が一致するように重合せ（合成）して行なわれる。
【００４０】
ここで、４つの入力オブジェクトのうちオブジェクト３０及び３２は印刷したいが、他は印刷したくない場合を考える。本実施の形態では、印刷すべきオブジェクト（３０及び３２）が選択され、メモリ空間２２とは別の（Ｃ）に示すメモリ空間２４に描画される。印刷実行時は、（Ａ）に示すデータ２８を含むメモリ空間２０と、メモリ空間２４との座標が一致するよう合成したものが印刷される。このため、不要な入力情報の印刷を回避することができる。
【００４１】
−構成−
＜外観構成＞
図２に、本発明の第１の実施の形態に係る情報表示装置５２の外観を斜視図により示す。
【００４２】
図２を参照して、本実施の形態に係る情報表示装置５２は、会議を行なう際等に利用される大型の情報表示装置である。情報表示装置５２は、さらに、会議の主催者等によって使用されるタッチペン５４等によるユーザ指示にしたがい、後述する表示領域に会議の議事内容を表示したり、その議事内容を印刷したりする。
【００４３】
情報表示装置５２は、台座５８と、台座５８の上面上に設置され、横長の長方形形状をなす大型ＬＣＤ（Ｌｉｑｕｉｄ  Ｃｒｙｓｔａｌ  Ｄｉｓｐｌａｙ）６０と、大型ＬＣＤ６０と同様の形状を有し、大型ＬＣＤ６０の前面に一体的に重ねて設けられる透明タッチパネル６２と、大型ＬＣＤ６０及び透明タッチパネル６２の下側に設置され、前面に上下一対の開口６４Ａ，６４Ｂが形成されるスキャナ６４と、台座５８に設置されるプリンタ６６とを含む。
【００４４】
台座５８は、平坦な上面を有する基台６８と、この基台６８及び大型ＬＣＤ６０の両者を連結する左右一対の脚７０とを備えている。基台６８の底部には、情報表示装置５２を移動させるための４つのキャスタ輪６８Ａが回転自在に取り付けられている。各脚７０は、幅広の薄板部材であって、所定の間隔を隔てた状態で基台６８の上面に直立している。これら脚７０の各先端面に大型ＬＣＤ６０が取り付けられている。脚７０の間にプリンタ６６が配置されている。
【００４５】
大型ＬＣＤ６０は、その前面に形成された画像情報の画面表示を行なうための表示領域を有する。この大型ＬＣＤ６０の表示領域は、大型ＬＣＤ６０の外郭形状と相似形状を有しており、大型ＬＣＤ６０の前面の大部分を占めている。
【００４６】
スキャナ６４は、プレゼンテーション原稿等を読取るための装置であって、上側の開口６４Ａから上記原稿が搬入されて下側の開口６４Ｂから上記原稿が排出される。プリンタ６６は、情報表示装置５２で表示された情報を印字出力するための装置である。
【００４７】
＜ハードウェア構成＞
図３に、情報表示装置５２のハードウェア構成をブロック図形式で示す。図３を参照して情報表示装置５２は、さらに、ユーザ指示を後述するコントローラに伝えるための図示しない操作キーと、ＵＳＢ（Ｕｎｉｖｅｒｓａｌ  Ｓｅｒｉａｌ  Ｂｕｓ）Ｉ／Ｆ（Ｉｎｔｅｒｆａｃｅ）により、大型ＬＣＤ６０、透明タッチパネル６２、スキャナ６４、及びプリンタ６６にそれぞれ接続され、これらを所定のプログラムにしたがって制御し、情報表示装置５２に入力された情報のうちユーザが選択した情報を表示及び印刷する機能、及び、情報表示装置としての一般的機能を実現するためのコントローラ８２と、コントローラ８２に接続され、大型ＬＣＤ６０の表示領域に表示する情報、透明タッチパネル６２より入力された情報、及びコントローラ８２の機能を実現するためのプログラム等を記憶し管理するための記憶・管理部７２とを含む。
【００４８】
コントローラ８２は、上述した所定のプログラムを実行することにより、上述した機能を実現する、図示しないＣＰＵ（Ｃｅｎｔｒａｌ  Ｐｒｏｃｅｓｓｉｎｇ  Ｕｎｉｔ）を含む。
【００４９】
コントローラ８２は、さらに、図示しない、ＲＯＭ（Ｒｅａｄ  Ｏｎｌｙ  Ｍｅｍｏｒｙ）及びＲＡＭ（Ｒａｎｄｏｍ  Ａｃｃｅｓｓ  Ｍｅｍｏｒｙ）を含む。
【００５０】
＜透明タッチパネル６２の構成＞
図４は透明タッチパネル６２の構成を簡略化して示す正面図である。この図においては、透明タッチパネル６２の長辺に沿う方向（横方向）をＸ軸方向とし、短辺に沿う方向（縦方向）をＹ軸方向としている。
【００５１】
図４を参照して、本実施の形態においては、透明タッチパネル６２としては、光学的に位置検出を行なうタッチパネルが使用されている。具体的には、透明タッチパネル６２の操作面の上側の長辺（即ち、上辺）の内縁部には、Ｘ軸方向フォトトランジスタアレイ７８Ｘが当該上辺に沿って配置されている一方、下側の長辺（即ち、下辺）の内縁部には、Ｘ軸方向ＬＥＤ（Ｌｉｇｈｔ  Ｅｍｉｔｔｉｎｇ  Ｄｉｏｄｅ）アレイ８０Ｘが当該下辺に沿って配置されている。これにより、互いに対向する、Ｘ軸方向フォトトランジスタアレイ７８Ｘの各フォトトランジスタとＸ軸方向ＬＥＤアレイ８０Ｘの各ＬＥＤとの間でＸ軸方向に沿った光軸が形成されることになる。また、透明タッチパネル６２の操作面の右側の短辺（即ち、右辺）の内縁部には、Ｙ軸方向フォトトランジスタアレイ７８Ｙが当該右辺に沿って配置されている一方、左側の短辺（即ち、左辺）の内縁部には、Ｙ軸方向ＬＥＤアレイ８０Ｙが配置されている。これにより、互いに対向する、Ｙ軸方向フォトトランジスタアレイ７８Ｙの各フォトトランジスタとＹ軸方向ＬＥＤアレイ８０Ｙの各ＬＥＤとの間でＹ軸方向に沿った光軸が形成されることになる。各フォトトランジスタアレイ７８Ｘ及び７８Ｙでは、それぞれ、その基板上にｍ個及びｎ個のフォトトランジスタが搭載されており、同様に各ＬＥＤアレイ８０Ｘ及び８０Ｙでは、その基板上にｍ個及びｎ個のＬＥＤが搭載されているので、上記操作面上では、ｍ×ｎ個の光軸交差点が生じる。
【００５２】
このような構成の透明タッチパネル６２において、会議主催者等がタッチペン５４により透過部材（操作面）上に触れると、この触れた位置ＴＰを通過する、Ｘ軸方向及びＹ軸方向の各ＬＥＤアレイ８０Ｘ，８０ＹのＬＥＤの光が当該タッチペン５４により遮蔽される。これらＬＥＤに対向する、Ｘ軸方向及びＹ軸方向の各フォトトランジスタアレイ７８Ｘ，７８Ｙのフォトトランジスタには光が到達しなくなる。これらフォトトランジスタの座標の組合せが、指定された座標位置として図３に示すコントローラ８２に出力される。図４に示した例では、座標位置（Ｘｉ，Ｙｊ）が上記のタッチペン５４の触れた位置（ペンタッチ位置）ＴＰに相当する。
【００５３】
タッチペン５４による透明タッチパネル６２の操作面への座標入力はコントローラ８２により検出される。コントローラ８２は、大型ＬＣＤ６０の表示領域において、タッチペン５４により入力された座標に対応する位置に所定のオブジェクトを表示させる。ここで、「オブジェクト」とは、例えば、点画像である。主催者等がタッチペン５４で透明タッチパネル６２の透過部材の表面（操作面）をなぞることにより、点画像のオブジェクトを連続的に表示させ、主催者等の所望する図形や文字を描くことができる。なお、その他のオブジェクトとしては、直線、円形、三角形及び四角形といった、予め定められた定形図形を挙げることができる。
【００５４】
タッチペン５４は、さらに、大型ＬＣＤ６０に表示される、後述するコマンド等の選択を行なう。ユーザは当該コマンドが表示された領域を１回タッチすることで、当該コマンドを選択することができる。
【００５５】
以降、説明のために、大型ＬＣＤ６０の表示領域及び透明タッチパネル６２の操作面を一括して「表示画面」と呼ぶ。
【００５６】
＜入力オブジェクトに係る設定及びメモリ空間構成＞
図５に、記憶・管理部７２に記憶される、各入力オブジェクトに関する情報を含むオブジェクト管理テーブル１２０を示す。図５を参照して、オブジェクト管理テーブル１２０は、オブジェクトの入力を受けるたびにコントローラ８２により作成及び追記される０又は１以上のエントリを含む。各エントリは、当該オブジェクトを情報表示装置５２の表示画面に表示させるか否かを指定する描画カラムと、オブジェクト管理テーブル１２０作成開始後から始めて何番目に入力が開始されたオブジェクトかを示す記載順番カラムと、オブジェクトの色を指定する色カラムと、当該オブジェクトの入力が開始された時間を示す記載時間カラムと、情報表示装置５２の表示画面上で、当該オブジェクトの入力が開始された座標位置を示す描画開始位置カラムと、当該オブジェクトを印刷するか否かを指定する印刷カラムと、当該オブジェクトの図形データが格納される、記憶・管理部７２内のアドレスを指定するためのポインタカラムとを含む。オブジェクトＮｏ．は、後述する印刷処理のために割り当てられた連番である。
【００５７】
描画カラムには、初期値としてＯＮが設定される。会議中、表示画面から当該オブジェクトを削除する指示があった場合、設定はＯＦＦに変更される。
【００５８】
記載順番カラムに示される順番は、記載時間カラムの記載開始時間に基づいて決定される。
【００５９】
描画開始位置カラムは、前述の透明タッチパネル６２上での座標位置（Ｘ，Ｙ）を示している。
【００６０】
印刷カラムには、初期値としてＯＦＦが設定される。後述する印刷コマンドにより印刷すべきオブジェクトとして選択された場合、設定はＯＮに変更される。印刷カラムは、当該オブジェクトの印刷の可能化／不能化を制御する印刷フラグを記憶する。
【００６１】
図６は、記憶・管理部７２に含まれるメモリ領域と、表示及び印刷の際、コントローラ８２により実行されるメモリ領域間の情報のやりとりを模式的に示した図である。図６を参照して、記憶・管理部７２は、図５に示すオブジェクト管理テーブル１２０を記憶するためのオブジェクト記憶部１４０と、入力オブジェクトとは別の描画データ源である、表計算ソフト、文書作成ソフト、及びプレゼンテーション資料作成ソフト等のアプリケーションソフトにより作成される描画イメージを格納するためのアプリケーション描画空間１４２と、オブジェクト管理テーブル１２０に記憶されたオブジェクトのうち、情報表示装置５２の表示画面に表示するオブジェクトのイメージを一時記憶するための表示用ペン描画空間１４４と、オブジェクト管理テーブル１２０に記憶されたオブジェクトのうち、印刷を行なうようユーザに選択されたオブジェクトのイメージを一時記憶するための印刷用ペン描画空間１４６とを含む。
【００６２】
記憶・管理部７２は、さらに、アプリケーション描画空間１４２と、表示用ペン描画空間１４４との描画イメージを合成したものを一時記憶するための表示用メモリ１４８と、アプリケーション描画空間１４２と、印刷用ペン描画空間１４６との描画イメージを合成したものを一時記憶するための印刷用メモリ１５０とを含む。
【００６３】
図７に、情報表示装置５２の表示画面に表示され、ユーザ指示によりオブジェクトの描画（入力）を実現するためのペンソフトコマンド群１７０の一例を示す。図７を参照して、本実施の形態に係るペンソフトコマンド群１７０は、「色選択」、「消しゴム」、「元に戻す」、「図面描画モード」、「手書きモード」、及び「印刷」等を含む。
【００６４】
色選択コマンドは、オブジェクトの色を決定するためのものであり、当該オブジェクトを描画する前に選択された色が有効となる。または、ユーザが記入済みのオブジェクトの入力座標位置をタッチペン５４でタッチしてオブジェクトを選択した後、色選択コマンドにより別の色を選択すれば、当該オブジェクトは当該色に変更される。
【００６５】
消しゴムコマンドは、オブジェクトの一部又は全てを消すためのものである。元に戻すコマンドは、このコマンドが選択される前に行なった動作をクリアする。図面描画モードコマンドは、このコマンドが選択されることにより、前述した点、直線、三角形等の定形図形を提供するためのコマンドを表示する。手書きモードコマンドは、表示画面にタッチペン５４をタッチさせて通常のペンのように用いることにより、手書きのオブジェクトを実現するためのものである。印刷コマンドは、後述する方法により、選択されたオブジェクトを印刷するためのコマンドを表示する。
【００６６】
図８に、図７に示す印刷コマンドを指定した際、情報表示装置５２の表示画面に表示されるサブコマンド群１８０を示す。図８を参照して、本実施の形態に係る印刷コマンドのサブコマンド群１８０は、後述のその他のサブコマンドにより選択されたオブジェクトを、他のデータと合わせて印刷する処理を実行するための印刷実行コマンド、オブジェクトの色の指定を受けることにより印刷するオブジェクトを選択するための印刷色指定コマンド、会議時間中、一部の時間帯の選択を受けることにより、その時間帯に入力が開始されたオブジェクトを選択するための時間指定コマンド、情報表示装置５２の表示画面においてユーザがタッチペン５４等により指定した領域内に含まれるオブジェクトを選択するための表示領域指定コマンド、及び図５に示すオブジェクト管理テーブル１２０により設定された各オブジェクトの記載順番に基づき、指定された順番に該当するオブジェクトを選択するための順番指定コマンドを含む。サブコマンド群１８０は、それぞれ、図５に示すオブジェクト管理テーブル１２０のカラムと対応している。
【００６７】
図９に、情報表示装置５２の表示画面に表示され、ユーザが、図８に示す印刷コマンドのサブコマンド群１８０中の印刷色指定、時間指定、及び順番指定コマンドをそれぞれ選択することにより表示され、各コマンドに係るユーザの選択を受けるためのメニュー画面を示す。
【００６８】
図９（Ａ）を参照して、「印刷色指定」コマンドが選択されと、印刷色指定メニュー画面１９０が表示される。印刷色指定メニュー画面１９０は、各色のオブジェクトを選択するためのチェックボックス１９２等と、全色を選択するためのチェックボックス１９４とを含む。ここではチェックボックス１９２がチェックされ、赤が選択されている。
【００６９】
図９（Ｂ）を参照して、「時間指定」コマンドが選択されると、時間指定メニュー画面２００が表示される。時間指定メニュー画面２００は、範囲を指定したい時間帯の開始時間及び終了時間についての入力を受ける欄２０２と、クリックすることにより欄２０２と同様の欄をさらに開け、欄２０２とは別の時間範囲を指定するためのプラスボタン２０４とを含む。プラスボタン２０４のクリックにより、さらに別の時間範囲を指定するためのプラスボタンも表示される。ここでは、欄２０２において、記載時間が２００７年７月５日の、１０時４０分０秒〜１０時４５分０秒の時間帯が指定されている。
【００７０】
図９（Ｃ）を参照して、「順番指定」コマンドを選択すると、順番指定メニュー画面２１０が表示される。順番指定メニュー画面２１０は、現在印刷可能なオブジェクトの記載順番の範囲を示す表示２１２と、「すべてのオブジェクト」、「最新のオブジェクト」及び「オブジェクト指定」の３つの選択肢を確定するためのボタン２１４等と、「オブジェクト指定」を選んだ場合、順番を入力するための欄２１６とを含む。ここでは、ボタン２１４及び欄２１６により、記載順番１〜５が指定されている。
【００７１】
＜プログラム構成＞
図１０〜１５は、情報表示装置５２において、図２に示すコントローラ８２が実行する、オブジェクト選択印刷プログラムの制御構造を示すフローチャートである。
【００７２】
図１０を参照して、コントローラ８２が実行するオブジェクト選択印刷制御のためのメインプログラムは、情報表示装置の電源投入後より、図７に示すペンソフトコマンド群１７０の印刷コマンドが選択されることにより起動され、図５に示すオブジェクト管理テーブル１２０に記憶された全オブジェクトの印刷フラグをクリア（ＯＦＦ）するステップ（以下「Ｓ」と表記する。）１と、Ｓ１の後に実行され、図８に示す印刷コマンドのサブコマンド群１８０のうちの何れかが選択されるまで待機するＳ２と、Ｓ２において、サブコマンド群１８０のうちの何れかが選択されたと判定されたことに応答して実行され、選択されたサブコマンドが印刷色指定であるか否かを判定し、判定結果に応じて制御の流れを分岐させるＳ３と、Ｓ３において印刷色指定であると判定されたことに応答して実行され、印刷色指定の処理を行なうＳ４とを含む。
【００７３】
本プログラムはさらに、Ｓ３において、印刷色指定ではないと判定されたことに応答して実行され、Ｓ３及びＳ４と同様の処理を時間指定に対して行なうＳ５及びＳ６と、Ｓ５においてサブコマンドが時間指定ではないと判定されたことに応答して実行され、Ｓ３及びＳ４と同様の処理を表示領域指定に対して行なうＳ７及びＳ８と、Ｓ７においてサブコマンドが表示領域指定ではないと判定されたことに応答して実行され、Ｓ３及びＳ４と同様の処理を順番指定に対して行なうＳ９及びＳ１０とを含む。Ｓ４、Ｓ６、Ｓ８及びＳ１０の後、処理はＳ２へ戻る。
【００７４】
本プログラムはさらに、Ｓ９において選択されたサブコマンドが順番指定ではないと判定されたことに応答して実行され、選択されたサブコマンドが印刷実行コマンドであるか否かを判定し、そうでない場合は処理をＳ２へ戻すＳ１１と、Ｓ１１において選択されたサブコマンドが印刷実行コマンドであると判定されたことに応答して実行され、後述する印刷実行処理を起動し、処理を終了するＳ１２とを含む。なお、図示していないが、キャンセルキーが押された時には、このプログラムは終了する。
【００７５】
図１１〜図１４は、それぞれ、図１０に示すＳ４、Ｓ６、Ｓ８、及び１０により起動される、オブジェクト管理テーブル１２０に含まれる各オブジェクトについて、印刷フラグをＯＮするためのプログラムの制御構造を示すフローチャートである。図１１は印刷色指定でのユーザの指示内容に、図１２は時間指定に、図１３は表示領域指定に、図１４は順番指定に、それぞれしたがい印刷フラグをＯＮするか否かを決定する。
【００７６】
図１１を参照して、本プログラムは、オブジェクト管理テーブル１２０の行番号を示す変数ｉに０を代入するＳ３０と、Ｓ３０の後に実行され、変数ｉに１を加算するＳ３２と、Ｓ３２の後に実行され、変数ｉの値がオブジェクト管理テーブル１２０に入力されている行数（ｍａｘ）より大きいか否かを判定し、判定結果に応じて制御の流れを分岐させるＳ３４と、Ｓ３４においてｉ＞ｍａｘでは無いと判定されたことに応答して実行され、オブジェクト管理テーブル１２０中の変数ｉが指す行に格納されたオブジェクトの情報を読出し、描画カラムの値がＯＮとなっているか否かを判定し、判定結果に応じて制御の流れを分岐させるＳ３６と、Ｓ３６において描画カラムの値がＯＮとなっていると判定されたことに応答して実行され、当該オブジェクトの色カラムの値が指定する色が、印刷色指定により指定された色と同じであるか否かを判定し、判定結果に応じて制御の流れを分岐させるＳ３８と、Ｓ３８において当該オブジェクトの色が印刷色と同じであると判定されたことに応答して実行され、当該オブジェクトの印刷フラグをＯＮにするＳ４０とを含む。Ｓ３６及びＳ３８の判定結果がＮＯの場合、及びＳ４０の後、処理はＳ３２へ戻る。Ｓ３４の判定結果がＹＥＳの場合、処理は図１０のＳ２に復帰する。
【００７７】
図１２を参照して、このプログラムは、図１１に制御構造を示すプログラムと同様の制御構造を持ち、図１１に示すＳ３０、Ｓ３２、Ｓ３４、Ｓ３６及びＳ４０とそれぞれ同様の処理を行なうＳ５０、Ｓ５２、Ｓ５４、Ｓ５６及びＳ６０を含む。ただし、このプログラムのＳ５８では、図１１に示すＳ３８と異なり、オブジェクトの記載時間カラムの値が指定の時間の範囲内であるか否かを判定し、判定結果がＹＥＳの時にはＳ６０に、ＮＯの時はＳ５２にそれぞれ制御の流れを分岐させる。
【００７８】
図１３を参照して、このプログラムは、図１１に制御構造を示すプログラムと同様の制御構造を持ち、図１１に示すＳ３０、Ｓ３２、Ｓ３４、Ｓ３６及びＳ４０とそれぞれ同様の処理を行なう、Ｓ７０、Ｓ７２、Ｓ７４、Ｓ７６及びＳ８０を含む。ただし、このプログラムのＳ７８では、図１１に示すＳ３８と異なり、オブジェクトの描画開始位置カラムの値が、指定の表示領域の範囲内であるか否かを判定し、判定結果がＹＥＳの時にはＳ８０に、ＮＯの時はＳ７２にそれぞれ制御の流れを分岐させる。
【００７９】
図１４を参照して、このプログラムは、図１１に制御構造を示すプログラムと同様の制御構造を持ち、図１１に示すＳ３０、Ｓ３２、Ｓ３４、Ｓ３６及びＳ４０とそれぞれ同様の処理を行なう、Ｓ９０、Ｓ９２、Ｓ９４、Ｓ９６及びＳ１００を含む。ただし、このプログラムのＳ９８では、図１１に示すＳ３８と異なり、オブジェクトの記載順番カラムの値が、指定の順番の範囲内であるか否かを判定し、判定結果がＹＥＳの時にはＳ１００に、ＮＯの時はＳ９２にそれぞれ制御の流れを分岐させる。
【００８０】
図１５は、図１０に示すＳ１２により起動される、印刷処理を実行するためのプログラムである。図１５を参照して、本プログラムは、図１１に示すＳ３０、Ｓ３２、及びＳ３４と同様の処理を行なう、Ｓ１１０、Ｓ１１２、及びＳ１１４と、Ｓ１１４においてｉ＞ｍａｘでは無いと判定されたことに応答して実行され、オブジェクト管理テーブル１２０において、変数ｉが示す行のオブジェクトの印刷カラムがＯＮであるか否かを判定し、判定結果がＮＯである場合は処理をＳ１１２に戻すＳ１１６と、Ｓ１１６において印刷カラムがＯＮであると判定されたことに応答して実行され、オブジェクト管理テーブル１２０の当該行の示す情報を抽出し、この情報に基づき当該オブジェクトを図６に示す印刷用ペン描画空間１４６に描画し、処理をＳ１１２へ戻すＳ１１８と、Ｓ１１４においてｉ＞ｍａｘであると判定されたことに応答して実行され、アプリケーション描画空間１４２と印刷用ペン描画空間１４６とを合成したものを印刷用メモリ１５０に作成するＳ１２０と、Ｓ１２０の後に実行され、Ｓ１２０で作成したデータを印刷した後、処理を終了するＳ１２２とを示す。
【００８１】
−動作−
以上に構成を説明した情報表示装置５２は、以下のように動作する。なお、以下の説明において、便宜上、情報表示装置５２に係る全ての構成要素の主電源は常時投入されているものとする。
【００８２】
会議が開始され、ユーザ指示に基づき、コントローラ８２は、図６に示す記憶・管理部７２中のアプリケーション描画空間１４２に記憶されたデータ及び図７に示すペンソフトコマンド群１７０を表示画面に表示する。透明タッチパネル６２はユーザからタッチペン５４によるオブジェクトの入力を受ける。オブジェクトの入力があると、コントローラ８２は図５に示すオブジェクト管理テーブル１２０の作成を開始する。
【００８３】
コントローラ８２は、オブジェクト管理テーブル１２０において、最初に入力されたオブジェクトの情報を含む行の記載順番カラムの値を１と設定し、その後入力の順に記載順番カラムの値を設定する。当該行の色選択カラムは、ペンソフトコマンド群１７０の色選択コマンドにより決定されている色を示す値が設定される。当該行の記載時間、及び描画開始位置カラムは、当該オブジェクトの入力を開始した時間及び透明タッチパネル６２での入力座標位置を、それぞれ示す値が設定される。初期値として描画カラムはＯＮ、印刷カラムはＯＦＦに設定される。
【００８４】
一方、コントローラ８２は、所定の時間間隔で以下のような処理を行なう。図６を参照して、一般のアプリケーションソフトによる表示イメージをアプリケーション描画空間１４２に描画する。次に、オブジェクト記憶部１４０内のオブジェクト管理テーブル１２０に記憶された全オブジェクトのうちで、描画カラムの値がＯＮのオブジェクトのみ抽出し、その表示イメージを表示用ペン描画空間１４４に描画する。次に、アプリケーション描画空間１４２に描画されたイメージ上に、表示用ペン描画空間１４４に描画されたイメージを重ねることにより、最終的な表示イメージを表示用メモリ１４８に作成する。大型ＬＣＤ６０は、一定間隔で表示用メモリ１４８の内容を読出し、表示する。
【００８５】
したがって、あるオブジェクトがオブジェクト記憶部１４０に追加されると、次のリフレッシュのタイミングでそのオブジェクトの表示イメージが表示用ペン描画空間１４４に表示され、表示用メモリ１４８に格納されて最終的に大型ＬＣＤ６０の表示に追加される。逆に、オブジェクト記憶部１４０内のオブジェクト管理テーブル１２０中のあるオブジェクトの描画カラムの値がＯＦＦになると、次のリフレッシュのタイミングで当該オブジェクトの表示イメージが表示用ペン描画空間１４４に描かれることはなくなり、最終的に大型ＬＣＤ６０からそのオブジェクトの表示イメージが削除される。
【００８６】
ユーザが、図７に示すペンソフトコマンド群１７０から印刷コマンドを選択すると、図１０に示すプログラムが起動される。Ｓ１においてコントローラ８２は、オブジェクト管理テーブル１２０の全てのオブジェクトに対し、印刷カラムをＯＦＦに設定にする。
【００８７】
その後、コントローラ８２は、ユーザより、図８に示す印刷コマンドのサブコマンド群１８０の選択と、図９に示す各サブコマンドに対応する値の指定とを受ける。図１１に示すＳ３２〜Ｓ４０、図１２に示すＳ５２〜Ｓ６０、図１３に示すＳ７２〜Ｓ８０、及び図１４に示すＳ９２〜Ｓ１００において、オブジェクト管理テーブル１２０に記憶された各オブジェクトについて、描画ＯＮで、かつ、当該オブジェクトの、サブコマンドに対応する値が、ユーザが指定した値に含まれているか否かを判定する。条件に合致する場合は印刷フラグをＯＮする。そうでない場合は何もしない。印刷実行の指示があると、図１５に示すＳ１１０〜Ｓ１２２において、印刷フラグがＯＮのオブジェクトの全てをオブジェクト記憶部１４０内のオブジェクト管理テーブル１２０から抽出して印刷用ペン描画空間１４６に描画した後、コントローラ８２は、この描画されたオブジェクトを他のデータと合成して印刷する。
【００８８】
より具体的には、コントローラ８２は以下のような動作を行なう。Ｓ２〜Ｓ１０の処理を、Ｓ１１の判定結果がＹＥＳになるまで繰返す。サブコマンド群１８０の何れかへの指示があった場合、Ｓ３、Ｓ５、Ｓ７及びＳ９のいずれかの判定結果がＹＥＳとなる。この場合、オブジェクト管理テーブル１２０に記憶された各オブジェクトの印刷フラグをＯＮ／ＯＦＦする判定基準が設定されたことになる。
【００８９】
選択されたサブコマンドが印刷色指定であり、図９（Ａ）に示すメニュー画面１９０のように赤が選択された場合、コントローラ８２は各オブジェクトに対し以下の動作を行なう。オブジェクト管理テーブル１２０の描画カラムがＯＦＦの場合、何もせず次のオブジェクトの処理を行なう。描画カラムがＯＮの場合、オブジェクト管理テーブル１２０の色カラムが赤の値を示すオブジェクトについて、コントローラ８２は、オブジェクト管理テーブル１２０の印刷フラグをＯＮする。そうでない場合は何もせず、次のオブジェクトの処理を行なう。
【００９０】
時間指定コマンドの場合も同様の処理が行なわれる。図１２に示すＳ５８において、記載時間カラムが示す値が、指定時間範囲内の場合、当該オブジェクトの印刷フラグをＯＮにする。表示領域指定、順番指定についても同様である。
【００９１】
その後、ユーザによりサブコマンド群１８０中の印刷実行コマンドが指示された場合、Ｓ１１の判定結果はＹＥＳとなる。図１５のＳ１１２〜Ｓ１１８において、コントローラ８２は全オブジェクトに対し、オブジェクト管理テーブル１２０の印刷カラムの値がＯＮであるか否かを判定し、ＯＮの場合、当該オブジェクトをオブジェクト記憶部１４０のオブジェクト管理テーブル１２０から印刷用ペン描画空間１４６に抽出する。全オブジェクトに対する処理終了後、Ｓ１２０及びＳ１２２において、コントローラ８２は、アプリケーション描画空間１４２及び印刷用ペン描画空間１４６に格納された表示イメージを合成したものを印刷用メモリ１５０に描画し、これを印刷する。印刷実行の後、処理を終了する。
【００９２】
図１に示す模式図により例を以下に示す。図１（Ａ）〜（Ｃ）に示すメモリ空間２０、２２及び２４において、オブジェクト３０、３２、３４及び３６が、それぞれ、図５に示すオブジェクト管理テーブル１２０中のオブジェクトＮｏ．０００１、０００２、０００３、及び０００５と対応するとする。さらに、メモリ空間２０は図６に示すアプリケーション描画空間１４２、メモリ空間２２は表示用ペン描画空間１４４、メモリ空間２４は印刷用ペン描画空間１４６であるとする。表示用メモリ１４８にはアプリケーション描画空間１４２に記憶されるデータ２８と、表示用ペン描画空間１４４に描画される上記４つのオブジェクトとが記憶されている。表示画面は画面１０の態様となる。ここで、図８に示すサブコマンド群１８０の印刷色指定により赤のオブジェクトが選択されたとする。コントローラ８２は、オブジェクト管理テーブル１２０のオブジェクトＮｏ．０００１及びＮｏ．０００２の「印刷」カラムをＯＦＦからＯＮにする。その後サブコマンド群１８０の印刷実行コマンドが選択された場合、これによりオブジェクト３０および３２は、オブジェクト記憶部１４０から印刷用ペン描画空間１４６に抽出され描画される。これにより印刷用ペン描画空間１４６は、メモリ空間２４の態様となる。コントローラ８２は、アプリケーション描画空間１４２と、印刷用ペン描画空間１４６との合成データを印刷用メモリ１５０に作成し、これを印刷する。
【００９３】
以上のように、本実施の形態に係る情報表示装置によれば、入力した情報から印刷すべき情報を選択することができる。前述の例において、ユーザが表示されるオブジェクトのうち、オブジェクト３４及び３６は印刷するほど重要なものでは無いと考えた場合、本情報表示装置によれば、これを避けることができる。不要なデータを含まないプリントアウトにより、ユーザは、さらに、業務の効率化を図ることができる。
【００９４】
〔変形例〕
大型ＬＣＤ６０、透明タッチパネル６２、スキャナ６４、及びプリンタ６６と、コントローラ８２とのそれぞれの接続方式は、ＵＳＢＩ／Ｆの代わりに、Ｅｔｈｅｒｎｅｔ（登録商標）、電力通信、無線ＬＡＮ（Ｌｏｃａｌ  Ａｒｅａ  Ｎｅｔｗｏｒｋ）、Ｂｌｕｅｔｈｏｏｔｈ（登録商標）、ＵＷＢ（Ｕｌｔｒａ  Ｗｉｄｅ  Ｂａｎｄ）、Ｗｉ−ＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）等であってもよい。
【００９５】
図８のサブコマンド群１８０中の印刷色指定において、表示されるオブジェクトの色を、印刷時には別の色に変換するようにしても良い。この場合、情報表示装置５２は、例えば、図９（Ａ）のメニュー画面１９０において赤を選択すると、別のメニュー画面が開き、赤のオブジェクトを印刷時に何色にするかを設定することができる態様であっても良い。このことにより、印刷すると視認しにくい淡色、または蛍光色のオブジェクトを、より視認しやすい色に変更できる。
【００９６】
また、異なる色で表示されていた複数のオブジェクトを、印刷する際には単一の色で印刷することができる態様であっても良い。これにより、複数のオブジェクトに対し、会議中は色を区別して表示するべきだが、プリントアウト上は色を区別する必要は無い、といった、ユーザの要望に答えることができる。
【００９７】
印刷色指定において、どの色も指定しない場合は、全てのオブジェクトが印刷される態様であっても良い。
【００９９】
今回開示された実施の形態は単に例示であって、本発明が上記した実施の形態のみに限定されるわけではない。本発明の範囲は、発明の詳細な説明の記載を参酌した上で、特許請求の範囲の各請求項によって示され、そこに記載された文言と均等の意味及び範囲内でのすべての変更を含む。
【図面の簡単な説明】
【０１００】
【図１】本願発明の第１の実施の形態に係る情報表示装置の、表示及び印刷の態様を説明するための模式図である。
【図２】第１の実施の形態に係る情報表示装置５２の外観構成を示す斜視図である。
【図３】第１の実施の形態に係る情報表示装置５２のハードウェア構成を示すブロック図である。
【図４】図３に示す透明タッチパネル６２の構成を簡略化して示す正面図である。
【図５】オブジェクト管理テーブル１２０を示す図である。
【図６】図２に示す記憶・管理部７２に含まれる、メモリ空間とその相互関係を模式的に示した図である。
【図７】ペンソフトコマンド群１７０を示す図である。
【図８】図７に示す印刷コマンドのサブコマンド群１８０を示す図である。
【図９】図８に示す各サブコマンドに対応するメニュー画面１９０、２００及び２１０を示す図である。
【図１０】図２に示す本情報表示装置５２のコントローラ８２が実行する、第１の実施の形態に係るオブジェクト選択印刷メイン制御プログラムを示すフローチャートである。
【図１１】図１０のＳ４において起動されるプログラムのフローチャートである。
【図１２】図１０のＳ６において起動されるプログラムのフローチャートである。
【図１３】図１０のＳ８において起動されるプログラムのフローチャートである。
【図１４】図１０のＳ１０において起動されるプログラムのフローチャートである。
【図１５】図１０のＳ１２において起動されるプログラムのフローチャートである。
【符号の説明】
【０１０１】
５２  情報表示装置
５４  タッチペン
６０  大型ＬＣＤ
６２  透明タッチパネル
６４  スキャナ
６６  プリンタ
７２  記憶・管理部
８２  コントローラ
【図１】
0004865671.tif 000002
【図２】
0004865671.tif 000003
【図３】
0004865671.tif 000004
【図４】
0004865671.tif 000005
【図５】
0004865671.tif 000006
【図６】
0004865671.tif 000007
【図７】
0004865671.tif 000008
【図８】
0004865671.tif 000009
【図９】
0004865671.tif 000010
【図１０】
0004865671.tif 000011
【図１１】
0004865671.tif 000012
【図１２】
0004865671.tif 000013
【図１３】
0004865671.tif 000014
【図１４】
0004865671.tif 000015
【図１５】
0004865671.tif 000016